(57)【要約】【課題】洗髪時に両手で洗髪でき、素手で行なう洗髪の良さを失うことのないシャワー装置を提供する。【解決手段】お湯が送られてくるホース３に接続する筒状の接続体５は、保持手段７により、手の甲側に、人差指９に沿って親指側１１に保持される。接続体５からはパイプ１９が分岐し、手の甲側を通って五指を横切って配置される。このパイプ１９には複数のノズル２１が設けられ、各ノズル２１が、五指のうち隣り合う指の間に向かって伸び、手の平側へ前記お湯を吐出する。接続体５には、親指で操作でき、お湯の吐出を制御するレバー２５が設けられている。【選択図】図１
2013116251.tif 000002
【特許請求の範囲】
【請求項１】
お湯が送られてくるホースと、このホースに接続する接続体と、この接続体を手の甲側に保持するための保持手段と、前記保持された接続体から前記手の五指のうち隣り合う指の間に向かって伸び、手の平側へ前記お湯を吐出するノズルと、を有することを特徴とする指シャワー。
【請求項２】
お湯が送られてくるホースと、このホースに接続する筒状の接続体と、この筒状の接続体を手の甲側に、人差指に沿って親指側に保持する保持手段と、前記保持された接続体から分岐し手の甲側を通って五指を横切って配置されるパイプと、このパイプに複数が設けられ、各々が五指のうち隣り合う指の間に向かって伸び、手の平側へ前記お湯を吐出するノズルと、を有することを特徴とする指シャワー。
【請求項３】
前記接続体には、親指で操作でき、お湯の吐出を制御するレバーが設けられていることを特徴とする請求項２に記載の指シャワー。
【請求項４】
前記パイプは、前記分岐点で、長手方向回りに回動可能に設けられ、五指のうち中指、薬指、又は小指に保持される保持手段を有し、この中指、薬指、又は小指を前後に動かすことで、前記ノズルの方向を変更できることを特徴とする請求項２、または３に記載の指シャワー。
【発明の詳細な説明】
【技術分野】
【０００１】
この発明は、介護などで洗髪を行なうためのシャワーの構造に関する。
【背景技術】
【０００２】
例えば介護で行なう作業のうち、被介護者の入浴や洗髪は、大きな部分を占める。洗髪を容易に行なうことができれば、介護費用の低減を図られる。洗髪を行なうためのシャワーは、通常は、固定されており、介護者は空いた一方の手で、上向きに寝た被介護者の頭部を支え、他方の手で洗髪を行なう。よって、片手で洗髪を行なうことになり作業効率は悪い。また固定されたシャワーは、被介護者の頭部の狙ったところにお湯を供給しにくい。
【０００３】
下記特許文献１には、ノズルが櫛の各突起部の先端に設けられているものが開示される。下記特許文献２には、手袋の掌に、ノズルが複数設けられているものが開示される。
【先行技術文献】
【特許文献】
【０００４】
【特許文献１】特開平11-018822
【特許文献２】特開2006-051001
【発明の概要】
【発明が解決しようとする課題】
【０００５】
しかしながら、下記特許文献１でも、一方の手で櫛を握り、他方の手で洗髪を行なうので、片手で洗髪を行なうことに変わりはなく、やはり作業効率は悪い。
下記特許文献２では、手袋をしていると、介護者は、洗髪の微妙な感触が掌に感じられず適切な洗髪ができず、被介護者は、手袋のごわごわした感じを受ける。よって、素手で行なう洗髪の良さを失ってしまう。
このような洗髪の問題は、介護の分野だけでなく、その他の分野、例えば美容院などでも同じである。
この発明は、以上の問題点を解決するために、洗髪時に両手で洗髪でき、素手で行なう洗髪の良さを失うことのないシャワーの装置を提供することを目的とする。
【課題を解決するための手段】
【０００６】
以上の課題を解決するために、第一発明は、お湯が送られてくるホースと、このホースに接続する接続体と、この接続体を手の甲側に保持するための保持手段と、前記保持された接続体から前記手の五指のうち隣り合う指の間に向かって伸び、手の平側へ前記お湯を吐出するノズルと、を有することを特徴とする指シャワーである。
【０００７】
第二発明は、お湯が送られてくるホースと、このホースに接続する筒状の接続体と、この筒状の接続体を手の甲側に、人差指に沿って親指側に保持する保持手段と、前記保持された接続体から分岐し手の甲側を通って五指を横切って配置されるパイプと、このパイプに複数が設けられ、各々が五指のうち隣り合う指の間に向かって伸び、手の平側へ前記お湯を吐出するノズルと、を有することを特徴とする指シャワーである。
【０００８】
第三発明は、さらに、前記接続体には、親指で操作でき、お湯の吐出を制御するレバーが設けられていることを特徴とする指シャワーである。
第四発明は、さらに、前記パイプは、前記分岐点で、長手方向回りに回動可能に設けられ、五指のうち中指、薬指、又は小指に保持される保持手段を有し、この中指、薬指、又は小指を前後に動かすことで、前記ノズルの方向を変更できることを特徴とする指シャワーである。
【発明の効果】
【０００９】
第一、第二、第三、又は第四発明に係る指シャワーによれば、ホースや接続体は手の甲側に保持され、ノズルが、手の五指のうち隣り合う指の間に向かって伸び、手の平側へお湯を吐出する。よって、手をシャワーを保持するために使用する必要がなく、そのため、両手を洗髪に使用できる。また、特許文献２のように手袋を必要としないので、素手で行なう洗髪の良さを失うことがない。
【００１０】
第二、第三、又は第四発明に係る指シャワーによれば、さらに、接続体を人差指に沿って親指側に保持することで、手の五指のうち、スペースが空いている人差指と親指の間に、ホースや接続体が位置し、手の指の動きに邪魔になりにくい。
第三、又は第四発明に係る指シャワーによれば、さらに、接続体のレバーを、親指で操作でき、お湯の吐出を容易に制御できる。
第四発明に係る指シャワーによれば、さらに、中指、薬指、又は小指を前後に動かすことで、ノズルの方向を容易に変更できる。
【図面の簡単な説明】
【００１１】
【図１】この発明の一実施形態に係る指シャワーを示すもので、（Ａ）は手の甲に装着した状態を指先前方から見た斜視図、（Ｂ）は（Ａ）を親指側から見た側面図である。
【図２】（Ａ）は図１の要部を示す外観側面図、（Ｂ）は（Ａ）の正面図、（Ｃ）は（Ａ）の縦断面図、（Ｄ）は（Ｃ）の機能を説明する説明図である。
【図３】この発明の他の実施形態に係る指シャワーの制御機構を示す概念図で、（Ａ）は全体図、（Ｂ）は（Ａ）の要部拡大図、（Ｃ）は（Ａ）の光ファイバーの縦断面図、（Ｄ）は光ファイバーの代わりにお湯を用いる場合の全体図である。
【発明を実施するための形態】
【００１２】
この発明の実施形態を、図１及び図２に示す。
［全体概略］
図１に、この実施形態の全体の概略を示す。この実施形態に係る指シャワー１では、ホース３に、図示しない湯沸かし器のお湯が送られてくる。送られるための水圧は、水道圧である。
【００１３】
ホース３は、筒状の接続体５に接続する。この筒状の接続体５は、保持手段７により、手の甲側に、人差指９に沿って親指１１側に保持される。保持手段７は、接続体５に一体的に固定されるフレーム１３などに設けられた、板バネ状のＵ字状金具１５である。Ｕ字状金具１５は、３個が設けられ、人差指９や薬指１７に巻かれて、保持を行なう。
【００１４】
保持された接続体５から、パイプ１９が、分岐し、フレーム１３に支持されて、手の甲側を通って五指を横切って配置される。このパイプ１９に４本のノズル２１Ａ，２１Ｂ，２１Ｃ，２１Ｄが設けられ、各々のノズル２１Ａ，２１Ｂ，２１Ｃ，２１Ｄが、五指のうち隣り合う指の間に向かって伸び、手の平側へ前記お湯を吐出する。
【００１５】
パイプ１９は、接続体５との分岐点２３で、パイプ長手方向回りに回動可能に設けられる。そして、五指のうち薬指１７に保持される保持手段７を有するので、薬指１７を前後に動かすことで、ノズル２１の方向を変更できる。
保持された接続体５には、親指側１１にレバー２５が設けられ、親指で操作でき、お湯の吐出を制御できる。
【００１６】
［接続体５］
接続体５は筒状の一端に、接続部２６を有し、ホース３に接続する。筒状の他端側部には、パイプ１９との分岐点２３があり、この分岐点２３で、パイプ１９は、水密の回動部２７に取り付けられ、長手方向回りに回動可能に設けられている。
【００１７】
接続体５の内部には、弁２９が設けられ、レバー２５が操作されることで、このレバー２５に連結された弁２９が開閉し、お湯のパイプ１９への吐出を制御できる。すなわち、レバー２５の基端には、回動軸３１が設けられ、この回動軸３１は接続体５に貫通し、内部の弁２９に連結する。レバー２５が、介護者の親指で回動されると、内部の弁２９が回動し、弁２９の開閉や湯の流量の制御を行える。
【００１８】
［フレーム１３］
フレーム１３は、接続体５に一体的に固定される。フレーム１３は、接続体５に沿って配置される第一部分３３と、この第一部分３３から、分岐し、手の甲側を通って五指を横切って配置される第二部分３５を有する。第一部分３３に、２個の保持手段７が設けられる。第二部分３５は、パイプ１９に沿って配置され、先端部のヒンジ部３７で、パイプ１９を回動可能に支持する。
【００１９】
［保持手段７］
保持手段７は、この実施形態では、Ｕ字状金具１５である。このＵ字状金具１５は、３個が設けられる。うち２個１５Ａ、１５Ｂは、一端が、接続体５に沿って配置されるフレーム１３に固定され、バネ性により人差指９に巻かれる。残りの１個１５Ｃは、一端が、パイプ１９に固定され、バネ性により薬指１７に巻かれる。
【００２０】
「実施形態の効果」
この実施形態に係る指シャワー１によれば、ホース３や接続体５は手の甲側に保持されて、洗髪の邪魔になりにくい。また、４本のノズル２１Ａ，２１Ｂ，２１Ｃ，２１Ｄが、それぞれ、手の五指のうち隣り合う指の間に向かって伸び、手の平側へお湯を吐出するので、洗髪作業時に、介護者の手の五指近くから、均等に湯が吐出され、洗髪作業がしやすい。
【００２１】
また、介護者は、手を、シャワーを保持するために使用する必要がない。そのため、両手を洗髪に使用できる。
また、特許文献２のように手袋を必要としないので、介護者は、素手で作業でき、作業時の手の感覚を失うことがない。よって、きめ細かい洗髪作業ができる。また、被介護者は、頭部に手袋のごわごわした感じを受けることがない。これらのことから、素手で行なう洗髪の良さを失うことがない、といえる。
【００２２】
さらに、接続体５を人差指９に沿って親指１１側に保持することで、手の五指のうち、スペースが空いている人差指９と親指１１の間に、ホース３や接続体５が位置し、手の指の動きに邪魔になりにくい。
さらに、接続体５のレバー２５を、動かしやすい親指１１で操作でき、お湯の吐出を容易に制御できる。
さらに、介護者は、薬指１７を前後に動かすことで、ノズル２１Ａ，２１Ｂ，２１Ｃ，２１Ｄの方向を容易に変更でき、洗髪作業を続行しながら、被介護者の頭部の狙った箇所にお湯を供給しやすい。
【００２３】
「他の実施形態」
以上の実施形態では、お湯が送られるための水圧は、水道圧であったが、他の実施形態では、電動ポンプを用いて水圧を発生させても良い。この場合に、お湯の吐出を制御するには、電動ポンプのスイッチが用いられる。このスイッチには、いろいろタイプのものが採用されうる。
【００２４】
ａ）例えば、電動ポンプの制御部へ無線で信号を送るリモートスイッチでも良い。
ｂ）また、図３に示すように、光ファイバー３９で信号を送るスイッチでも良い。すなわち、図３（Ａ）に示すように、電動ポンプ４１を用いて水圧を発生させ、ホース３を介して、指シャワー１へお湯を送る。このホース３に沿って光ファイバー３９が配置される。図３（Ｂ）に示すように、光ファイバー３９の基部へは、電動ポンプ４１の制御部に設けられた発光素子４３からハーフミラー４５を介して光が入り、指シャワー１の接続体５に設けられたミラー４７によって反射されて戻り、受光素子４９に感知される。接続体５のレバー２５を操作すると、遮断部５１が光ファイバー３９内部を伝播する光を遮り、遮られたことが受光素子４９に感知される。これにより、受光素子４９の感知を元に、電動ポンプ４１の制御が行える。
【００２５】
ｃ）また、図３（Ｄ）に示すように、光ファイバーの代わりにホース３内のお湯５３を利用して信号を送るスイッチでも良い。お湯５３自体を光の伝達媒体とするものである。遮断部５１や発光素子４３、受光素子４９は、各々の透明窓５５を介してお湯に接し、光の遣り取りをする。すなわち、ホース３に満ちたお湯へは、発光素子４３から透明窓５５を介して光が入り、指シャワー１の接続体５に設けられたミラー４７によって透明窓５５を介して反射されて戻り、透明窓５５を介して受光素子４９に感知される。接続体５のレバー２５を操作すると、遮断部３９がお湯５３内部を伝達する光を遮り、遮られたことが透明窓５５を介して受光素子４９に感知される。これにより、受光素子４９の感知を元に、電動ポンプ４１の制御が行える。
【００２６】
このようにａ）ｂ）またはｃ）の構成とすることで、装置が濡れた状態で操作しても、漏電、感電の可能性を低くすることができる。また、水圧自体を電動ポンプ４１のスイッチにより制御するので、水圧をそのままにして弁２９により制御を行なう場合に比べて、装置に対し、水圧急変動による力の悪影響がない。
【００２７】
以上の実施形態では、保持手段７は、Ｕ字状金具１５であったが、他の実施形態では、リング状でも良いし、プラスチック製でも良い。
以上の実施形態では、接続体５は人差指９に沿って親指１１側に保持されるものであったが、他の実施形態では、他の指に保持されるものであっても良いし、あるいは完全に掌全体に保持され完全に手の甲の上に配置されるものでもよい。この場合に、複数のノズル２１は、放射状に、指の間に向かって伸びることになる。
【符号の説明】
【００２８】
１…指シャワー、３…ホース、５…接続体、７…保持手段、９…人差指、１１…親指、１３…フレーム、１５…Ｕ字状金具、１７…薬指、１９…パイプ、２１…ノズル、２３…分岐点、２５…レバー、２７…回動部、２９…弁、３１…回動軸、３３…第一部分、３５…第二部分、３７…ヒンジ部、３９…、光ファイバー、４１・・電動ポンプ、４３・・発光素子、４５・・ハーフミラー、４７・・ミラー、４９・・受光素子、５１・・遮断部、５３・・お湯、５５・・透明窓。
【図１】
2013116251.tif 000003
【図２】
2013116251.tif 000004
【図３】
2013116251.tif 000005